(57)【要約】【課題】両面から尿等を吸収可能であり、厚みが薄く、かつ折畳みが容易で、折畳むことにより吸収量を調節したり、漏れやすい部分に局所的に装着でき、かつ使用感にも優れた吸収性物品を提供する。【解決手段】複数の吸収層２１０ａ、２１０ｂと、複数の吸収層の上面及び下面を覆う液透過性シート２０２Ａ、２０２Ｂと、を有する吸収性物品２００であって、複数の吸収層は、吸収性物品の一辺２００Ｓに沿う方向に互いに離間して離間部Ｇが形成され、該離間部で折り畳み可能である。【選択図】図１
2015036077.tif 000002
【特許請求の範囲】
【請求項１】
複数の吸収層と、前記複数の吸収層の上面及び下面を覆う液透過性シートと、を有する吸収性物品であって、
前記複数の吸収層は、前記吸収性物品の一辺に沿う方向に互いに離間して離間部が形成され、該離間部で折り畳み可能である吸収性物品。
【請求項２】
前記吸収層は親水性シートに高吸収性樹脂を担持させたシート状吸収層である請求項１に記載の吸収性物品。
【請求項３】
前記吸収層の厚みが３ｍｍ以下である請求項１又は２に記載の吸収性物品。
【請求項４】
前記離間部の間隔が２〜１０ｍｍである請求項１〜３のいずれかに記載の吸収性物品。
【発明の詳細な説明】
【技術分野】
【０００１】
本発明は、尿とりパッド、使い捨ておむつ、軽失禁パッド及びライナーなどの吸収性物品に関する。
【背景技術】
【０００２】
従来から、液透過性のトップシートと液不透過性のバックシートとの間に吸収層を設け、トップシート側を着用者の肌側に配置した吸収性物品が広く用いられている。しかしながら、吸収層の吸収量が不足すると、尿が外部に漏れる等の問題がある。
そこで、表面と裏面の両方の面から尿等を吸収可能な吸収性物品が開発されている（特許文献１参照）。この吸収性物品は、非通液性シートの両面にそれぞれ吸収体を配置した構成を有している。
【先行技術文献】
【特許文献】
【０００３】
【特許文献１】特開2009-178235号公報
【発明の概要】
【発明が解決しようとする課題】
【０００４】
しかしながら、特許文献１記載の技術の場合、２つの吸収体（吸収層）を積層しているため、吸収性物品が厚くなり、使用感が低下する。又、着用者の体型や症状に応じて吸収性物品を折り畳み、吸収量を調節したり、漏れやすい部分に局所的に吸収性物品を装着することを行う場合があるが、特許文献１記載の技術の場合、吸収層を積層しているために折り畳むには大きな力を掛ける必要があり、折り畳みし難い。さらに、吸収層を折り畳むと、折り目部分が圧縮されて硬い感触になり易い。
従って本発明は、両面から尿等を吸収可能であり、厚みが薄く、かつ折畳みが容易で、折畳むことにより吸収量を調節したり、漏れやすい部分に局所的に装着でき、かつ使用感にも優れた吸収性物品の提供を目的とする。
【課題を解決するための手段】
【０００５】
上記課題を解決するため、本発明の吸収性物品は、複数の吸収層と、前記複数の吸収層の上面及び下面を覆う液透過性シートと、を有し、前記複数の吸収層は、前記吸収性物品の一辺に沿う方向に互いに離間して離間部が形成され、該離間部で折り畳み可能である。
この吸収性物品によれば、吸収層の上面及び下面を液透過性シート２で覆っているので、吸収層の両面からから尿等を吸収でき、十分な吸収能が得られ、尿が外部に漏れることを防止することができる。又、吸収層は積層されずに面方向に並んでいるので、複数の吸収層を積層する場合に比べて吸収性物品を薄くすることができる。
さらに、吸収層が介在しない離間部にて、吸収性物品を折り畳むことができるので、折り畳むのに大きな力が不要であり、折り畳みが容易である。又、吸収層を折り畳むと、折り目部分が圧縮されて硬い感触になり易いが、離間部Ｇで折り畳むことで、このような不具合が生じず使用感にも優れる。
そして、吸収性物品を折り畳むことで、着用者の体型や症状に応じて吸収量を調節したり、漏れやすい部分に局所的に吸収性物品を装着することができる。
【０００６】
前記吸収層は親水性シートに高吸収性樹脂を担持させたシート状吸収層であることが好ましい。
前記吸収層の厚みが３ｍｍ以下であることが好ましい。
前記離間部の間隔が２〜１０ｍｍであることが好ましい。
【発明の効果】
【０００７】
この発明によれば、両面から尿等を吸収可能であり、厚みが薄く、かつ折畳みが容易で、折畳むことにより吸収量を調節したり、漏れやすい部分に局所的に装着でき、かつ使用感にも優れた吸収性物品が得られる。
【図面の簡単な説明】
【０００８】
【図１】本発明の第１の実施形態に係る吸収性物品の上面図である。
【図２】図１のＡ−Ａ線に沿う断面図である。
【図３】離間部で吸収性物品を折畳んだ状態を示す断面図である。
【図４】本発明の第２の実施形態に係る吸収性物品の上面図である。
【図５】本発明の第３の実施形態に係る吸収性物品の上面図である。
【発明を実施するための形態】
【０００９】
以下に本発明の実施形態について説明する。図１は本発明の第１の実施形態に係る吸収性物品２００の上面図、図２は図１のＡ−Ａ線に沿う断面図、図３は離間部Ｇで吸収性物品２００を折畳んだ状態を示す断面図である。
図１、図２に示すように、吸収性物品２００は略矩形のシート状をなし、面方向（図２の左右方向）に２個の吸収層２１０ａ、２１０ｂが離間して並んでいる。吸収層２１０ａ、２１０ｂは矩形状をなし、吸収層２１０ａ、２１０ｂの上面及び下面は、それぞれ液透過性シート２０２Ａ、２０２Ｂで覆われている。又、液透過性シート２０２Ａ、２０２Ｂの対向する四隅は全周にわたってホットメルト接着剤等により固定されている。
さらに、各吸収層２１０ａ、２１０ｂは、吸収性物品２００の短辺２００Ｓに沿う方向（図１、図２の左右方向）に互いに離間して１つの離間部Ｇが形成されている。なお、離間部Ｇにて対向する液透過性シート２０２Ａ、２０２Ｂ同士は固定されていてもよく、固定されていなくてもよい。
そして、図３に示すように、吸収層２１０ａ、２１０ｂが介在しない離間部Ｇにて、吸収性物品２００は短辺２００Ｓの対辺（長辺２００Ｌ）に沿って二つ折りに折り畳み可能である。
【００１０】
吸収層２１０ａ、２１０ｂは、いずれもフラッフパルプと高吸収性樹脂（高吸水性ポリマー；ＳＡＰ）とを含むことが好ましい。
ＳＡＰとしては、破砕タイプと、パールタイプ(逆相懸濁重合法により得られるもの)のどちらでも選択できる。
フラッフパルプとしては、針葉樹クラフトパルプ、広葉樹クラフトパルプ等の木材パルプが主に使用できる。また、コットンリンターなどの非木材パルプや熱融着性の合成繊維などを適宜フラッフパルプと混合することもできる。
高吸水性樹脂（ＳＡＰ）は網目状の分子構造を有し、自重の数百倍の水を吸収してゲル状に膨潤し、その水を保持する機能を有するポリマーである。ＳＡＰには、合成ポリマー系と天然物由来系とがあり、合成ポリマー系としては、ポリアクリル酸系、ポリスルホン酸系、アクリルアミド系、ポリビニルアルコール系等が利用でき、天然物由来系としては、デンプン系、セルロース系等が利用できるが、特に限定されずにこれらを適宜用いることができる。
吸収性物品２００中のＳＡＰの含有量は、好ましくは３０〜６００ｇ／ｍ２、より好ましくは３０〜４００ｇ／ｍ２、もっとも好ましくは３０〜２００ｇ／ｍ２である。吸水時におけるＳＡＰのゲルブロッキング（膨潤したＳＡＰ粒子間での合着）を防止するためには、ＳＡＰ層は薄い方が好ましいが、ＳＡＰの含有量が３０ｇ／ｍ２未満であると、吸収層の吸水量が少なすぎる。ＳＡＰの含有量が２００ｇ／ｍ２以下であれば、ゲルブロッキングは生じない。ＳＡＰ含有量が２００〜４００ｇ／ｍ２であると、ゲルブロッキングを生じることがあり、４００〜６００ｇ／ｍ２であると、ゲルブロッキングを生じる確率はさらに高くなるが、ＳＡＰの含有量が６００ｇ／ｍ２以下であれば、実用上問題はない。ＳＡＰの含有量が６００ｇ／ｍ２を超えると、ゲルブロッキングを顕著に生じて実用上難があるので好ましくない。
液体の拡散を促進させるために、吸収層２１０ａ、２１０ｂ表面に熱エンボスを施すことが望ましい。
【００１１】
吸収層２１０ａ、２１０ｂとして、ＳＡＰをシート状に形成したシート状吸収層を用いると、厚みがさらに薄くなるので好ましい。シート状吸収層は、親水性の不織布やパルプシートなどの親水性シートにＳＡＰをシート状に担持させたものであり、各種市販されている。
シート状吸収層としては、例えば２枚の親水性シート（それぞれ坪量が１５ｇ／ｍ２以上）の間にＳＡＰをホットメルト接着剤で固定して製造することができる。
し、ホットメルト接着剤で固定する。
【００１２】
液透過性シート２０２Ａ、２０２Ｂは、液透過性の親水性不織布であればよく、使用者の肌に接するため、感触が柔らかで、皮膚に刺激を与えない繊維材料から形成されている。液透過性シートの坪量は１５ｇ／ｍ２以上が好ましい。液透過性シートの坪量が１５ｇ／ｍ２未満であると、液戻り量が多くなり、着用者に不快感を与え、さらにはかぶれの原因になる。液透過性シートは、ポリプロピレン、ポリエチレン、ポリエステルなどの合成繊維による、エアースルー不織布、ポイントボンド不織布、スパンボンド不織布、スパンレース不織布などが使用できる。特に液戻り量の少ないエアースルー不織布が好適である。
【００１３】
吸収層２１０ａ、２１０ｂの厚みが３ｍｍ以下であると、使用感が損なわれないので好ましい。吸収層２１０ａ、２１０ｂの厚みの下限は、ＳＡＰの使用量や種類によっても変化するが、例えば０．５ｍｍ以上である。
離間部Ｇの間隔が２〜１０ｍｍであることが好ましい。離間部Ｇの間隔が２ｍｍ未満であると、離間部Ｇに沿って折り畳んだときに吸収層２１０ａ、２１０ｂと干渉するので、折り畳み難くなる傾向にある。離間部Ｇの間隔が１０ｍｍを超えると、吸収層２１０ａ、２１０ｂの有効な量が減少し、吸収量が低下する場合がある。
【００１４】
そして、液透過性シート２０２Ａ、２０２Ｂの間に吸収層２１０ａ、２１０ｂを離間部Ｇを設けて挟持した後、液透過性シート２０２Ａ、２０２Ｂを全周にわたってホットメルト接着剤を用いて固定することで、吸収性物品２００を製造することができる。接着剤としては、融点が１００〜１８０℃程度の、スチレンーブタジエン−スチレン系共重合体、スチレンーイソプレン−スチレン系共重合体などの合成ゴム系；又はエチレン−酢酸ビニル共重合体などのオレフィン系のホットメルト接着剤を使用できる。ホットメルト接着剤の塗布方法には、ノズルから溶融状態の接着剤を糸状に非接触で塗布するカーテンコート法やスパイラル法、接触式で塗布するスロット法などがあり、公知のあらゆる方法が利用できる。
【００１５】
以上のように、本発明の第１の実施形態に係る吸収性物品２００は、吸収層２１０ａ、２１０ｂの上面及び下面を、それぞれ液透過性シート２０２Ａ、２０２Ｂで覆っているので、吸収層２１０ａ、２１０ｂの両面からから尿等を吸収でき、十分な吸収能が得られ、尿が外部に漏れることを防止することができる。又、吸収層２１０ａ、２１０ｂは積層されずに面方向に並んでいるので、複数の吸収層を積層する場合に比べて吸収性物品を薄くすることができる。
さらに、吸収層２１０ａ、２１０ｂが介在しない離間部Ｇにて、吸収性物品２００を折り畳むことができるので、折り畳むのに大きな力が不要であり、折り畳みが容易である。又、吸収層を折り畳むと、折り目部分が圧縮されて硬い感触になり易いが、離間部Ｇで折り畳むことで、このような不具合が生じず使用感にも優れる。
そして、吸収性物品を折り畳むことで、着用者の体型や症状に応じて吸収量を調節したり、漏れやすい部分に局所的に吸収性物品を装着することができる。
【００１６】
次に、図４を参照し、本発明の第２の実施形態に係る吸収性物品３００について説明する。図４に示すように、吸収性物品３００は、面方向（図４の左右方向）に３個の吸収層３１０ａ、３１０ｂ、３１０ｃが離間して並んでいる。吸収層３１０ａ〜３１０ｃは矩形状をなし、吸収層３１０ａ〜３１０ｃの上面及び下面は、それぞれ液透過性シート３０２Ａ、３０２Ｂ（図示せず）で覆われている。
第２の実施形態においては、各吸収層３１０ａ〜３１０ｃは、吸収性物品３００の短辺３００Ｓに沿う方向（図４の左右方向）に互いに離間し、２つの離間部Ｇが形成されている。従って、２つの離間部Ｇにて、吸収性物品３００は短辺３００Ｓの対辺（長辺３００Ｌ）に沿って二つ折り又は三つ折りに折り畳み可能である。
【００１７】
次に、図５を参照し、本発明の第３の実施形態に係る吸収性物品４００について説明する。図５に示すように、吸収性物品４００は、面方向（図５の左右方向）に２個の吸収層４１０ａ、４１０ｂが離間して並んでいる。吸収層４１０ａ、４１０ｂは矩形状をなし、吸収層４１０ａ、４１０ｂの上面及び下面は、それぞれ液透過性シート４０２Ａ、４０２Ｂ（図示せず）で覆われている。
第３の実施形態においては、各吸収層４１０ａ、４１０ｂは、吸収性物品４００の長辺４００Ｌに沿う方向（図５の上下方向）に互いに離間し、１つの離間部Ｇが形成されている。従って、離間部Ｇにて、吸収性物品４００は長辺４００Ｌの対辺（短辺４００Ｓ）に沿って二つ折りに折り畳み可能である。
【００１８】
なお、本発明の実施形態に係る吸収性物品は、例えば以下のようにして使用することができる。まず、吸収性物品を折り畳まずにパンツ型おむつのトップシート（着用者側）上に粘着テープ等で装着してもよい。又、吸収性物品を折り畳み、パンツ型おむつから尿等が漏れやすい場所、たとえばトップシート（着用者側）のおむつ側面の両側または片側に装着してもよい。又、吸収性物品を折り畳み、パンツ型おむつから尿等が漏れやすい別の場所、たとえばトップシート（着用者側）のおむつ長手方向の前側および/または後ろ側に装着してもよい。
又、吸収性物品４００のように短辺４００Ｓに沿って折り畳むタイプは、折り畳むと比較的小さくなるので、パンツ型おむつの排尿位置に的確に装着することができる。
【００１９】
本発明は上記した実施形態に限定されず、本発明の思想と範囲に含まれる様々な変形及び均等物に及ぶことはいうまでもない。
【符号の説明】
【００２０】
２００、３００、４００  吸収性物品
２００Ｌ、３００Ｌ、３００Ｌ  吸収性物品の長辺（一辺）
２００Ｓ、３００Ｓ、３００Ｓ  吸収性物品の短辺（一辺）
２０２Ａ、２０２Ｂ、３０２Ａ、３０２Ｂ、４０２Ａ、４０２Ｂ  液透過性シート
２１０ａ、２１０ｂ、３１０ａ、３１０ｂ、４１０ａ、４１０ｂ  吸収層
Ｇ  離間部
【図１】
2015036077.tif 000003
【図２】
2015036077.tif 000004
【図３】
2015036077.tif 000005
【図４】
2015036077.tif 000006
【図５】
2015036077.tif 000007